(57)【要約】【課題】ゴルフのプレー時において、打撃感覚を高める。  高さ微調節を容易におこなう。  破損、紛失を減少する。等を兼備したティーの提供。【解決手段】強靭でかつ弾力性のある素材を使用し、ティー全体を一体化構造に仕上げることにより、次の解決を得る。  製品の各部に欠落、折損、または変形を生ずることが少なく、強固で耐久性がある。  漏斗状の柔軟な衝撃吸収部５は、インパクト時のクラブヘッドに抵抗を与えず、打撃感覚を高める。  螺旋状の突起構造部８は高さの微調節を正逆の回転で容易におこなえると同時に、この８の形体はティーの飛去紛失を減少する。【選択図】図２
2005118531.tif 000002
【特許請求の範囲】
【請求項１】
ゴルフボールの載置部から脚部の尖鋭部までを強靭で弾力性のある一体化製品とするために、高分子化合物を素材として一体に射出成形するか、個別の成形材料を結集し固化する方法で作られており、製品は数種の長さに分類されることを特徴とするティー。
【請求項２】
頭部は、ゴルフボールを安定して載置できる強度と面積を有し、打撃時にはクラブに抵抗を与えないで打撃感覚を向上させるように、弾力性を強調した短い弦状の素材が、外周部には漏斗状に、中心部には直立状に配列されている形体であることを特徴とするティー。
【請求項３】
強靭さを強調した脚部は、上端をティアップ時の操作性と印刷スペースとに適応した形であり、中央部を正逆回転で高さの微調節を容易におこなえること、ティーの飛去を抑制し紛失を減少するために、螺旋状の突起構造の形にしてあること、さらに高さ認識記号やリボン取付穴があることを特徴とするティー。
【発明の詳細な説明】
【技術分野】
【０００１】  本発明は、ゴルフのプレー時において、ゴルフボールをティアップする際に使用するティーに関するものである。
【背景技術】
【０００２】  従来のティーは、その殆どが木や合成樹脂で作られていて、ボールを載置する皿状の台と、それを支える棒状の脚からできている。
まれに多目的のティーも見受けるが、性能、寿命、製法、コストに一長一短がある。
【特許文献１】実開平７−２１０８１
【特許文献２】特開平８−１１２３８１
【特許文献３】特開２００２−６５９１７
【特許文献４】特表２００２−５３６０８７
【発明の開示】
【発明が解決しようとする課題】
【０００３】  打撃時に、クラブヘッドが直接固いティーに当ることが多く、この場合は、クラブの振り抜けを悪くし、ショット感覚を損ない、打球の結果にも影響を及ぼす。【０００４】  打撃時に、ボールの高さの適否は、打者心理に大きく影響するが、打撃姿勢等ではカバーしにくい。
このため、僅かな高低差でも微調節を要し、これが時間的なロスとなり、自他ともに焦燥感を味わうことも多い。【０００５】  ティーが、ボールと一緒に飛び出し、それを見失うことがしばしばあり、プレーヤーはそれを探すため時を費やす。
一件の時間的なロスは僅かでも、全体では軽視できない。【０００６】  破損したティーがティインググラウンドの周囲に散乱した状況は、美観を損ね、紛失したティーは周辺の汚染にも繋がる。
管理人がこれを回収し、処理する等のロスもある。
【課題を解決するための手段】
【０００７】  頭部は短い弦状の素材を漏斗状に配列させた形体であるため、クラブヘッドはその弾力性のある部分に当り、ティーの衝撃を受けることなくショット感覚を向上させ得る。【０００８】  ボールの高さ調節は、脚部に螺旋状の突起構造を持たせて、把持部で正逆回転の操作をすることにより、容易に高さの微調節を可能とした。【０００９】  頭部は漏斗形の形状であるため、空気抵抗を受けて、ティーの飛びは抑えられる。
脚部は螺旋状の突起構造であるため、地中での締め付け摩擦を受けて、ティーの抜けは抑えられる。
さらに、状況に応じてリボンを取り付ければ、ティーの飛び出し方向を視認できる。
これらの結果は、ティーの紛失を減少させる効果をもつ。
【発明の効果】
【００１０】本発明のティーは、その構造上、打撃感覚を向上させる、高さの微調節が容易である、破損や紛失を減少させる、等の効果がある。
【発明を実施するための最良の形態】
【００１１】  本発明は、強靭でかつ弾力性のある素材を射出成形、またはこれに準ずる工法により一体化した製品にすることにより、多機能を兼備させ得た。
そのことは、製作工法を単純化しコストを低減した。
【実施例】
【００１２】  本発明の実施例を、図に基づいて説明する。
図１は、平面図。図２は、立面図。図３は、図１に示すＡ−・−Ａの断面図である。【００１３】  １の範囲は、ティーの全容を示し、材質は強靭であると同時に弾力性のある素材の一体構造であり、繰り返しの使用に耐え得るものである。【００１４】  ２の範囲は、頭部を示し、短い弦状の素材で、外周部は漏斗状に、中心部は直立状に配列された形体に仕上げる。
上部の４がゴルフボール載置部である。下部の５は打撃時の衝撃吸収部で、いったんは変形しても、次の瞬間に復元する。【００１５】  ３の範囲は、脚部を示し、２の頭部と一体に成形された棒状の部分である。
以下、上から順に説明する。【００１６】  ６は把持部である。この部分を指先で持ち地中に押し込みながら正回転させて、まず一定の高さに設定した後、正逆回転により微調節してティアップを完了する。
６の形状は操作のし易いようにひとまわり大きく作られ、表面は文字類の印刷スペースで宣伝用に利用したり、娯楽性も持たせることを可能とした。【００１７】  ７はリボンが貫通できる程度の細穴である。
状況に応じてリボンをこの穴に通しておけば、打撃のショックでティーが飛び出しても、その方向が視認できるうえ、ティーの飛びのスピードも緩和されて紛失の減少につながる。【００１８】  ８は螺旋状の突起構造部である。
地中に食い込ませたこの部分は、高さ調節の機能を持つと同時に地中の締付摩擦を受けて打撃時のティーの飛去を抑える役目を持つ。
なお、螺旋のピッチを１ｃｍとすることで１回転当りの調節巾は１ｃｍとなる。
螺旋状の突起構造部が逆方向のものを製作し、レフティ用ともする。【００１９】  ９はティーの高さ認識記号で、長さの異なる数種のティーのどれにも、４からの間隔に応じて、同一記号を印してある。
これによって、違う種類のティーを使っても記号を地表に合わせれば、ティーの高さは即座に設定できる。【００２０】  １０は尖鋭部で、脚部の先端を尖らせて、地中に突き立てる初動作とその後の食い込みを容易にする形状である。
【産業上の利用可能性】
【００２１】  このティーは、一体化した構造のために、強度や紛失防止、そして打撃感覚の向上、等の諸機能を実現した。
同時に、従来の使い捨てで消耗品的であったティーから、宣伝用にも利用でき、娯楽性も併せ持ったゴルフ用具となる可能性がある。
【図面の簡単な説明】
【００２２】  図面は本発明のティーを表わし、１の長さにより数種に分類されたティーの代表図である。【図１】は、ティーの平面図である。
【図２】は、ティーの立面図である。
【図３】は、
【図１】中に示すＡ−・−Ａの断面図である。
【符号の説明】
【００２３】  １  全容
２  頭部
３  脚部
４  ボール載置部
５  衝撃吸収部
６  把持部兼、印刷スペース
７  リボン取付穴
８  螺旋状の突起構造部
９  高さ認識記号
１０  尖鋭部
【図１】
2005118531.tif 000003
【図２】
2005118531.tif 000004
【図３】
2005118531.tif 000005